(57)【要約】【課題】  従来の紙おむつに比べ、おむつの製造コスト低減、おむつ交換の簡易化、吸収体が細帯状によじれることによる脚周りの隙間発生の防止及び、紙おむつの身体装着へのフィット性の向上を図る。【解決手段】  ベルト部と紙おむつ本体を別体とし、ベルト部を身体の腰回りに着用し、次いで紙おむつ本体を身体の股間部に適用するようにした脱着容易な紙おむつである。ベルト部は、布製で再利用可能とし、身体の腰周りへの装着時に、当該腰の左右側面各々に対応位置する部分を、それ以外の部分に対して幅広とする。紙おむつ本体の四隅各々に面ファスナー等を取り付け、この紙おむつ本体を股間に適用した後、その面ファスナー等を、上記ベルト幅広部に止着する。そして、紙おむつ本体を、身体の左右方向に引っ張るような状態にして股間に着用し、脚周りの隙間を少なくする。【選択図】    図９
2008099721.tif 000002
【特許請求の範囲】
【請求項１】
ベルト部（１）と紙おむつ本体（１０）が別体であって、当該ベルト部（１）を身体の腰回りに着用し、次いで紙おむつ本体（１０）を身体の股間部に適用して、その状態で上記紙おむつ本体（１０）の四隅の止着部各々を、上記ベルト部（１）に止着することによって紙おむつ本体を着用するようにした脱着容易なおむつにおいて、
上記ベルト部（１）を布製として再使用可能とすると共に、
上記ベルト部（１）を身体の腰回りに装着した際に腰の左右側面各々に対応位置する部分（Ｍ）を、それ以外の部分（Ｎ）に対して幅広部（５）となし、
他方、紙おむつ本体（１０）の四隅（１９ａ、１９ｂ、１９ｃ、１９ｄ）各々に、面ファスナー等の止着部を取り付け、
この紙おむつ本体（１０）を股間に適用する際、当該止着部を、上記ベルト部の幅広部（５）に止着し、紙おむつ本体（１０）を、身体の左右方向に引っ張るような状態にして股間に着用し、脚周りの隙間を少なくしたことを特徴とする脱着容易なおむつ。
【請求項２】
上記紙おむつ本体（１０）の四隅（１９ａ、１９ｂ、１９ｃ、１９ｄ）各々の面ファスナー等の止着部（２０、２１）は、上記ベルト部（１）の幅広部（５）に対して止着できる細長状であることを特徴とする請求項１記載の脱着容易なおむつ。
【請求項３】
上記紙おむつ本体（１０）の四隅（１９ａ、１９ｂ、１９ｃ、１９ｄ）各々の面ファスナー等の止着部は、上下間隔を開けて複数設けられていることを特徴とする請求項１記載の脱着容易なおむつ。
【発明の詳細な説明】
【技術分野】
【０００１】
本発明は、身体への脱着が容易なおむつに関し、更に詳細には、紙おむつ本体とベルト部が別体として形成され、使用に際しては一体として用いる脱着容易なおむつに関する。
【背景技術】
【０００２】
周知の通り、高齢者や身障者のような要介護者の排泄物の処理には、おむつが用いられており、これらおむつの形態は、着用する者の生活習慣、体調、介護レベル等に対応して様々である。例えば、紙おむつ本体とベルト部が一体として形成されるものがあり、実公平３−４５７０３公報や特許第３２１８４９３号公報に示されている紙おむつを示すことができる。これは、紙おむつ本体に身体装着用ベルトが予め取り付けられているもので、使用に際しては、紙おむつ本体を股間に着用し、紙おむつと一体のベルトを面ファスナー等の止着部で身体に着用するものである。また、紙おむつ本体とベルト部を別体として形成したものとして、実用新案登録第２５８７３０９号公報や特開２００６−５１２４０公報に示される紙おむつを示すことができる。これは、紙おむつ本体以外に別のベルトがあり、使用に際しては、まずベルト部を面ファスナー等の固着部で身体に装着し、それから紙おむつ本体を股間に装着し、紙おむつ本体に設けられている面ファスナー等の止着部をベルトに留めて使用するものである。
【０００３】
【特許文献１】実公平３−４５７０３公報
【特許文献２】特許第３２１８４９３号公報
【特許文献３】実用新案登録第２５８７３０９号公報
【特許文献４】特開２００６−５１２４０公報
【発明の開示】
【発明が解決しようとする課題】
【０００４】
上記実公平３−４５７０３公報及び特許第３２１８４９３号公報に示されたベルトと一体のおむつによると、ベルト部の付いたおむつはその全体が使い捨てであって、使用される度に全体が焼却処理される。このうちベルト部は一般に高価であり、紙おむつ本体とベルト部が一体として形成されていることから、おむつの製造コスト低減には限界がある。また、着用者が寝たままおむつ交換をすることが多いので、その場合には、ベルト部も身体から脱着しなければならず、おむつの脱着作業が大変になるという問題を有していた。
【０００５】
他方、上記実用新案登録第２５７８３０９号公報及び特開２００６−５１２４０公報に示される紙おむつ本体とベルト部を別体としたものによると、ベルト部と紙おむつ本体が別体として形成されているので、紙おむつ本体を焼却しても、ベルト部は再使用できる上に、ベルト部を身体に装着したまま紙おむつ本体のみの交換ができるので、上記問題を解決することができる。しかし、従来技術のものは、ベルト部の幅が細く帯状で、紙おむつ本体が、ベルト部に対して下方に吊り下げ状態にて装着されている。即ち、紙おむつ本体の四隅には、面ファスナー等の止着部が取り付けられているが、この止着部を留める相手方のベルト部が細帯状であるので、細帯ベルトの背側、腹側各々の中央に対して面ファスナーで留めるか又は、紙おむつ本体の四隅に面ファスナーがあっても、その各々の面ファスナーの止着部を細いベルトに止着させると、紙おむつ本体を左右に張る力が非常に弱く、上下に引っ張ることになるので、上記のように、下方に吊り下げ状態になってしまう。従って、装着したまま身体を寝かせている間に、尿等の吸収体が細い帯状によじれてしまい、脚周りに隙間が発生し、失禁時において尿や便の横漏れが生じる虞がある。また、そのような場合、身体装着へのフィット性に欠ける。
【０００６】
従って、本発明は、ベルト部を布製とすると共に、そのベルト部を紙おむつ本体と別体にし、ベルト部を再使用可能とし、紙おむつの製造コスト低減化を図り、おむつ交換の簡易化を図ることは勿論のこと、ベルト部に幅広部を設け、即ち、当該ベルト部を身体に装着したときに、腰の左右各々に対応位置する部分が幅広部となるようにし、その幅広部に対して紙おむつ本体をその止着部によって止着した際、紙おむつ本体を身体の左右方向、即ち横方向に引っ張った態様で装着することにより、脚周りの隙間を少なくし、尿漏れ、便漏れ等を防止し、身体装着へのフィット性を向上することを目的とする。
【課題を解決するための手段】
【０００７】
上記目的を達成する為に、本発明は以下の技術的手段を有する。即ち、本発明は、ベルト部と紙おむつ本体が別体であって、上記ベルト部を身体の腰回りに着用し、次いで紙おむつ本体を身体の股間部に適用して、その状態で上記紙おむつ本体の四隅の止着部各々を、上記ベルト部に止着することによって紙おむつ本体を着用するようにした脱着容易なおむつにおいて、上記ベルト部を布製として再使用可能とすると共に、上記ベルト部を身体の腰回りに装着した際に腰の左右側面各々に対応位置する部分を、それ以外の部分に対して幅広部となし、他方、紙おむつ本体の四隅各々に面ファスナー等の止着部を取り付け、この紙おむつ本体を股間に適用する際、当該止着部を、上記ベルト部の幅広部に止着し、紙おむつ本体を、身体の左右方向に引っ張るような状態にして股間に着用し、脚周りの隙間を少なくしたことを特徴とする脱着容易なおむつである。
上記において、紙おむつ本体の四隅各々の面ファスナー等の止着部は、ベルト部の幅広部に止着できるよう細長状としても良く、また各隅に上下間隔を開けて複数設けても良い。
【発明の効果】
【０００８】
本発明の脱着容易なおむつによれば、ベルト部を再使用可能とし、紙おむつの製造コストの低減化を図り、おむつ交換の簡易化を図るという効果と、脚周りの隙間を少なくし、尿漏れ、便漏れ等を防止し、身体装着へのフィット性を向上するという効果を奏する。
【発明を実施するための最良の形態】
【０００９】
以下、本発明の好適な実施例を図面に従って説明する。
【実施例】
【００１０】
紙おむつのベルト部の一実施例を図１、図２、図５、図６及び図７に従って説明する。図１及び図２に示すように、ベルト部１は、本体部２、両方の端部３、固着部４及び幅広部５からなる。本体部２は、ポリエステル繊維又はナイロン（登録商標）等を材料とし、使い捨てではなく、洗濯等をしても再使用可能なものであり、弓状に成形されている。端部３は、本体部２と同様の材料からなり、本体部２の両端に形成される。固着部４は、矩形の面ファスナー（例えば、マジックテープ（登録商標）など。）であり、一方の端部３に縫い付けられている。そして、おむつの使用に際しては、図５乃至図７に示すように、ベルト部１を腰に巻いた際に、固着部４が縫い付けられていない側の端部３又は本体部２にその面ファスナー等の固着部４が係合され、それにより、ベルト部１は腰周りに着用される。上記幅広部５は本体部２と一体であるが、その幅Ｗ２は本体部２の幅Ｗ１より広く成形されており、図５乃至図７に示すように、ベルト部１を腰周りに着用すると、幅広部５が腰の左右側面各々を覆うことになる。
【００１１】
上記ベルト部とは別体の紙おむつ本体の一例を図３及び図４に従って説明する。紙おむつ本体１０は、図３で示す表面（非肌側）の非透水性繊維からなる表面部１６と、図４で示す裏面（肌側）の透水性繊維から成る裏面部１７の間に、吸収体１７ａが収容されて形成されている。そして、周知の通り、裏面部１７の左右端各々に尿や便の横漏れ防止の立体ギャザー１４が形成され、且、糸ゴム等のような弾性体１１，１２，１３が紙おむつ本体１０に取着されている。上記弾性体１１、１２は、紙おむつ本体１０の両端１８ａ、１８ｂの領域部分を、左右方向（横方向）に伸縮するためのものであり、上記弾性体１３は、紙おむつ本体１０を縦方向に伸縮させるためものである。勿論、この紙おむつ本体１０は一例であって、他のタイプのものを用いてもよい。例えば、上記で示した弾性体１１、１２、１３の一部又は全部の無いもの等を適宜用いることができる。
【００１２】
紙おむつ本体の両端１８ａ、１８ｂの隅１９ａ、１９ｂ、１９ｃ、１９ｄ各々には、上下に間隔を置いて２つの止着部１５ａ１、１５ａ２、１５ｂ１、１５ｂ２、１５ｃ１、１５ｃ２、１５ｄ１、１５ｄ２が取り付けられている。上記止着部は、矩形の面ファスナー（例えば、マジックテープ（登録商標）など。）であり、紙おむつ本体１０の四隅１９ａ、１９ｂ、１９ｃ、１９ｄに2個ずつ取り付けられている。勿論、上下間隔を置いて３箇所でもよい。また、図１３及び図１４に示すように、面ファスナー等の止着部を、ベルト部１の幅広部５の幅Ｗ２に対応できるような長さの面ファスナーにするのも良い。なお、図１３及び図１４では、止着部を２０、２１として示している。
【００１３】
本発明の実施例の使用について説明する。まず、身体の腰周りにベルト部１を着用する。詳細には、図５乃至図７に示すように、ベルト本体部２を腰周りに巻き回し、一方のベルト端部３の面ファスナー等の固着部４を他方のベルト端部３に係合する。このベルト部１を着用すると、ベルト部１の幅広部５が身体の腰の左右側面各々に対応位置する。即ち、ベルト幅広部５は、図中のＭの位置に対応して身体の腰に接着される。なお、Ｎは、Ｍ以外の部分であり、幅広部５に比して細いベルト本体２が対応位置する。
【００１４】
次いで、図８に示すように、紙おむつ本体１０の一端１８ａ又は１８ｂを股間の背側に位置させ、他端１８ｂ又は１８ａを腹側に位置させ、股間を覆うようにする。即ち、弾性体１１、１２が取着されている紙おむつ本体１０を身体の左右方向（横方向）に伸ばし、紙おむつ本体１０の背側に位置する一端１８ａの左右隅各々の２個の面ファスナー等の止着部１５ａ１、１５ａ２、１５ｂ１、１５ｂ２を、身体の左右のベルト幅広部５に係合させる。
【００１５】
そして、紙おむつ本体１０を股間から腹部に向けて上に引っ張り、図９に示すように、弾性体１１、１２が取着されている紙おむつ本体１０を左右方向（横方向）に伸ばし、紙おむつ本体１０の他端１８ｂの左右隅各々の２つの面ファスナー等の止着部１５ｃ１、１５ｃ２、１５ｄ１、１５ｄ２を、身体の左右のベルト幅広部５に係合させる。すると、図１１及び図１２に示すように、紙おむつが身体に装着される。
【００１６】
上記止着部１５ａ１、１５ａ２、１５ｂ１、１５ｂ２、１５ｃ１、１５ｃ２、１５ｄ１、１５ｄ２と上記ベルト幅広部５の係合の際、図９に示すように、紙おむつ本体１０の背側は、矢印Ａの方向に引っ張る状態で係合され、紙おむつ本体の腹側は矢印Ｂの方向に引っ張る状態で係合されることから、紙おむつ本体１０が身体の左右方向（横方向）に引っ張られる。従って、装着したまま身体を寝かせている間に、尿等の吸収体が細帯状によじれることがなくなり、脚周りに隙間が発生し、失禁時において尿や便の横漏れが生じる虞がなくなる。詳細には、紙おむつ本体１０の一隅１９ｃを、図１０の矢印Ｃの方向に沿って、上記止着部１５ｃ１、１５ｃ２と上記ベルト幅広部５を係合するので、図９の矢印Ｂのような身体の横方向に引っ張る力が、２箇所の上下に間隔を開けて取付けられている止着部１５ｃ１、１５ｃ２において働くことなる。そして、その力が、紙おむつ本体１０の四隅１９ａ、１９ｂ、１９ｃ、１９ｄの各々の計８箇所において働くので、紙おむつ本体１０を経由して、その吸収体１７ａにも身体の横方向に張る力が、上記従来技術に比して非常に強く働き、その結果、紙おむつを身体に装着したまま寝ていても、吸収体１７ａが細帯状によじれてしまうことを防ぐことができる。
【００１７】
また、図１３及び図１４のように、面ファスナー等の止着部２０、２１を各隅一箇所の細長状としたものとした場合でも、ベルト部１の幅広部５に対し、その幅全体に係合できるので、紙おむつ本体１０を横方向に引っ張った形でベルト部１に装着できる。
【図面の簡単な説明】
【００１８】
【図１】本発明の実施例に示す、展開したベルト部の表面図である。
【図２】本発明の実施例に示す、展開したベルト部の裏面図である。
【図３】本発明の実施例に示す、展開した紙おむつ本体の表面図である。
【図４】本発明の実施例に示す、展開した紙おむつ本体の裏面図である。
【図５】本発明の実施例に示す、腰に着用したベルト部の正面図である。
【図６】本発明の実施例に示す、腰に着用したベルト部の背面図である。
【図７】本発明の実施例に示す、腰に着用したベルト部の右側面図である。
【図８】本発明の実施例に示す、腰に着用したベルト部に対し、紙おむつ本体を止着する過程を示した紙おむつの正面図である。
【図９】本発明の実施例に示す、身体に装着した紙おむつの右側面図である。
【図１０】本発明の実施例に示す、紙おむつ本体の止着部の一角を除き身体に装着した紙おむつの右側面図である。
【図１１】本発明の実施例に示す、身体に装着した紙おむつの正面図である。
【図１２】本発明の実施例に示す、身体に装着した紙おむつの背面図である。
【図１３】本発明の他の実施例を示す、身体に装着した紙おむつの正面図である。
【図１４】本発明の他の実施例を示す、身体に装着した紙おむつの背面図である。
【符号の説明】
【００１９】
１                              ベルト部
２                              ベルト本体部
３                              ベルト端部
４                              ベルト部の固着部
５                              ベルト幅広部
１０                            紙おむつ本体
１１、１２、１３                弾性体
１４                            立体ギャザー
１５ａ１、１５ａ２              紙おむつ本体の背側の止着部
１５ｂ１、１５ｂ２              同上
１５ｃ１、１５ｃ２              紙おむつ本体の腹側の止着部
１５ｄ１、１５ｄ２              同上
１６                            紙おむつ本体の表面部
１７                            紙おむつ本体の裏面部
１７ａ                          吸収体
１８ａ、１８ｂ                  紙おむつ本体の端
１９ａ、１９ｂ、１９ｃ、１９ｄ  紙おむつ本体の隅
２０                            紙おむつ本体の背側の止着部
２１                            紙おむつ本体の腹側の止着部
Ｍ                              幅広部に対応位置する腰の左（右）側面
Ｎ                              幅広部に対応位置する腰の左（右）側面以外の部分
【図１】
2008099721.tif 000003
【図２】
2008099721.tif 000004
【図３】
2008099721.tif 000005
【図４】
2008099721.tif 000006
【図５】
2008099721.tif 000007
【図６】
2008099721.tif 000008
【図７】
2008099721.tif 000009
【図８】
2008099721.tif 000010
【図９】
2008099721.tif 000011
【図１０】
2008099721.tif 000012
【図１１】
2008099721.tif 000013
【図１２】
2008099721.tif 000014
【図１３】
2008099721.tif 000015
【図１４】
2008099721.tif 000016